(57)【特許請求の範囲】
【請求項１】
本体の開口部を被うナイトカバーを備えたオープンショーケースにおいて、
前記ナイトカバーは、内部中空糸素材の織物から成る基材の一面若しくは両面に水蒸気を透過させ、且つ、低温においても当該透過特性が維持されるフィルムをラミネートした素材にて構成され、且つ、横幅が前記本体の開口部の幅寸法と略同等若しくは若干狭い寸法とされていると共に、
前記本体の開口部両側に着脱可能に取り付けられ、引き出された前記ナイトカバーの両側部を保持するガイドレールと、
前記開口部の上部に位置して設けられ、前記引き出されたナイトカバーの内側に左右に渡って当接する突条と、
前記ナイトカバーの先端に設けられた磁石と、
前記ナイトカバーが前記開口部を閉じたときに前記磁石が接近する位置の前記本体に設けられた近接センサとを備え、
前記磁石が前記近接センサに接近したことで、前記ナイトカバーにより前記開口部が閉じられたことを検出すると共に、
前記ガイドレールは透明素材にて構成されており、
前記ナイトカバーは引き出された位置で停止するストッパー機能を有することを特徴とするオープンショーケース。
【発明の詳細な説明】
【０００１】
【発明の属する技術分野】
本発明は、店舗の閉店時に開口部を被うためのナイトカバーを備えたオープンショーケースに関するものである。
【０００２】
【従来の技術】
従来よりスーパーマーケットやコンビニエンスストアなどの店舗に設置されるオープンショーケースには、ナイトカバーと称される引き出し自在のカバー（以下、ナイトカバーと称す。）が取り付けられており、商品の納出が行われない閉店時には、このナイトカバーを引き出して開口部を被うことにより、開口部からの無駄な冷気の流出を防止し、消費電力の削減を図ることができるように構成されている。
【０００３】
【発明が解決しようとする課題】
しかしながら、ナイトカバーは開口部下端において係支されるものの、両側部は何ら規制するものがなかった。そのため、ナイトカバー側部の後側には本体が位置するものの、前側には自由に移動してしまい、開口部の両側におけるナイトカバーと本体間に隙間が発生してこの隙間から冷気が漏出し、或いは、外気の侵入があった。
【０００４】
係る冷気漏洩や外気の侵入は、特に貯蔵室内を凍結温度とする冷凍オープンショーケースの場合、エネルギーの削減上極めて深刻な問題となる。
【０００５】
本発明は、係る従来の技術的課題を解決するために成されたものであり、ナイトカバーを備えたオープンショーケースにおいて、開口部をナイトカバーで覆った場合における冷気漏洩と外気の侵入を効果的に防止若しくは抑制することを目的とする。
【０００６】
【課題を解決するための手段】
本発明のオープンショーケースは、本体の開口部を被うナイトカバーを備えたものであって、ナイトカバーは、内部中空糸素材の織物から成る基材の一面若しくは両面に水蒸気を透過させ、且つ、低温においても当該透過特性が維持されるフィルムをラミネートした素材にて構成され、且つ、横幅が本体の開口部の幅寸法と略同等若しくは若干狭い寸法とされていると共に、本体の開口部両側に着脱可能に取り付けられ、引き出された前記ナイトカバーの両側部を保持するガイドレールと、開口部の上部に位置して設けられ、引き出されたナイトカバーの内側に左右に渡って当接する突条と、ナイトカバーの先端に設けられた磁石と、ナイトカバーが開口部を閉じたときに磁石が接近する位置の本体に設けられた近接センサとを備え、磁石が近接センサに接近したことで、ナイトカバーにより開口部が閉じられたことを検出すると共に、ガイドレールは透明素材にて構成されており、ナイトカバーは引き出された位置で停止するストッパー機能を有することを特徴とする。
【０００７】
本発明によれば、本体の開口部を被うナイトカバーを備えたオープンショーケースにおいて、ナイトカバーは横幅が本体の開口部の幅寸法と略同等若しくは若干狭い寸法とされており、前記開口部の両側に設けられ、引き出された前記ナイトカバーの両側部を保持するガイドレールを備えるので、ナイトカバーを引き出した際に開口部側部における本体とナイトカバー間に生じる隙間を解消することができるようになる。これにより、ナイトカバーを閉じた状態における開口部からの冷気漏洩及び外気侵入を効果的に防止若しくは抑制することができるようになる。
【０００８】
また、オープンショーケースの開口部に通常形成されるエアーカーテンが最も弱くなる開口部の側部にガイドレールが位置するかたちとなるため、ナイトカバーを引き出さない状態でも、ガイドレールを設けておけば当該ガイドレール自体が冷気漏洩と外気侵入の阻止効果を奏することになる。
【０００９】
これらにより、オープンショーケースの冷却性能と省エネルギーの更なる改善を図ることができるようになると共に、特に、内部を冷凍温度に冷却するオープンショーケースの場合に顕著な効果を奏するものである。
【００１０】
更に、ナイトカバーは、基材の一面若しくは両面に水蒸気を透過させ、且つ、低温においても当該透過特性が維持されるフィルムをラミネートした素材にて構成されているので、格別な孔などを穿設すること無く、ナイトカバーへの結露の発生を防止することができる。従って、係る孔からの冷気漏洩と外気侵入を解消して運転効率の更なる向上を図ることができる。
【００１１】
特に、ナイトカバーの先端に磁石を設け、ナイトカバーが前記開口部を閉じたときに磁石が接近する位置の本体には近接センサを設けたので、磁石が近接センサに接近したことで、ナイトカバーにより前記開口部が閉じられたことを検出し、ナイトカバーが閉じたときに行うべき各種の制御を自動的に実行することができるようになるものである。
【００１２】
また、前記ガイドレールは前記開口部の両側に設けられ、前記引き出されたナイトカバーの両側部を保持するので、ナイトカバーを引き出した際に開口部両側における本体とナイトカバー間に生じる隙間を解消することができるようになり、冷気漏洩及び外気侵入の防止効果を一層向上させることができるようになるものである。
【００１３】
また、前記ガイドレールは透明素材にて構成されているので、本体の開口部においてガイドレールが目立たなくなり、オープンショーケースの外観に与える悪影響も最小限に抑えられるものである。
【００１４】
また、前記ガイドレールは前記本体に着脱可能に取り付けられるので、開店時などガイドレールが不要な場合には取り外しておくことができるようになり、商品の納出の邪魔になることを未然に防止することができるようになるものである。
【００１５】
また、前記開口部の上部に位置し、前記引き出されたナイトカバーの内側に左右に渡って当接する突条を備えるので、開口部の上部における本体とナイトカバー間の隙間も無くし、冷気漏洩及び外気侵入防止効果を一層向上させることができるようになるものである。
【００１６】
特に、前記ナイトカバーは引き出された位置で停止するストッパー機能を有しているので、商品の補充の際などに必要な広さだけ開口部を開き、残りはナイトカバーで覆っておくことができるようになり、作業中における冷気漏洩と外気侵入を最小限に抑制することが可能となる。特に、本発明ではナイトカバーの両側部がガイドレールにより保持されるので、開口部の途中で停止したナイトカバーを安定して保持しておくことができるようになるものである。
【００１７】
更に、前記ナイトカバーは、内部中空糸素材の織物から成る基材の一面若しくは両面に前述のような水蒸気を透過させ、且つ、低温においても当該透過特性が維持されるフィルムをラミネートして構成されているので、ナイトカバーの断熱性能が向上し、ナイトカバー自体を伝わってくる熱侵入を抑制し、冷却性能と省エネルギー効果の更なる向上が図れるようになるものである。
【００１８】
【発明の実施の形態】
以下、図面に基づき本発明の実施形態を詳述する。図１は本発明の実施例としてのオープンショーケース１の正面図、図２はオープンショーケース１の縦断側面図、図３はオープンショーケース１の開口部２１上端の縦断側面図、図４はオープンショーケース１の開口部２１下端の縦断側面図、図５はナイトカバー４６を引き出した状態のオープンショーケース１の開口部２１上端の縦断側面図、図６はナイトカバー４６を引き出した状態のオープンショーケース１の開口部２１下端の縦断側面図である。
【００１９】
上記各図に示した実施例のオープンショーケース１は、例えばスーパーマーケットなどの店舗内に複数台据え付けられる冷凍タイプの多段オープンショーケースであり、断面略コ字状の断熱壁２と、据え付け現場においてこの断熱壁２の両側に取り付けられる側板３、３とから本体５が構成されている。断熱壁２の内側にはそれぞれ間隔を存して外層仕切板４と内層仕切板６が取り付けられており、断熱壁２と外層仕切板４間が外層ダクト７、内外層仕切板６、４間が内層ダクト８とされ、内層仕切板６の内側が貯蔵室９とされている。
【００２０】
この貯蔵室９内には複数段の棚１１・・が架設されると共に、貯蔵室９の底部にはデックパン１２が取り付けられ、このデックパン１２の下方は前記両ダクト７、８に連通した底部ダクト１３とされている。そして、この底部ダクト１３内には後述する内層送風機Ｆ１及び外層送風機Ｆ２を内蔵したファンケース１４が設置されると共に、内層ダクト８内には冷凍装置の冷媒回路に含まれる冷却器１６が縦設されている。
【００２１】
断熱壁２と両側板３、３にて囲繞された貯蔵室９（本体５）の前面開口部２１の上縁には外層吐出口２２と内層吐出口２３が前後に並設されており、外層吐出口２２は外層ダクト７に内層吐出口２３は内層ダクト８にそれぞれ連通している。また、開口部２１の下縁には吸込口２４が形成され、前記底部ダクト１３に連通している。
【００２２】
そして、前記ファンケース１４内の内層送風機Ｆ１及び外層送風機Ｆ２が運転されると、底部ダクト１３内の空気は後方の内層ダクト７及び外層ダクト８に向けて吹き出され、外層ダクト７においてはそのまま吹き上げられると共に、内層ダクト８においては冷却器１６と熱交換した後吹き上げられ、開口部２１上縁の内層吐出口２２及び外層吐出口２３から下縁の吸込口２４に向けてそれぞれ吹き出される。
【００２３】
また、断熱壁２の天壁２Ａ前端には外気ダクト部材２０が全幅に渡って取り付けられ、この外気ダクト部材２０の外気吐出口２５は前面開口部２１の上縁の外層吐出口２２の前側にて下方に開放している。そして、この外気ダクト部材２０内には後述する外気用送風機Ｆ３が配設される。この外気用送風機Ｆ３が運転されると、天壁２Ａ上方の外気が吸い込まれて外気吐出口２５から外層吐出口２３前側の開口部２１に向けて吹き出される。
【００２４】
これによって、貯蔵室９の開口部２１には内側の冷気エアーカーテンとそれを保護する外側のエアーカーテンと、更にそれらを保護する最も外側の外気エアーカーテンより成る三層のエアーカーテンが形成され、開口部２１からの外気の侵入が阻止、若しくは、抑制されると共に、内側の冷気エアーカーテンの一部が貯蔵室９内に循環して貯蔵室９内は冷却される。そして、これらの冷気などは吸込口２４から底部ダクト１３に帰還し、送風機Ｆ１、Ｆ２に再び吸い込まれることになる。
【００２５】
一方、断熱壁２の天壁２Ａの外気ダクト部材２０上にはキャノピー（庇）２６が全幅に渡り、前方に突出して取り付けられており、このキャノピー２６の内側、内層吐出口２３の内側及び各棚１１の下面には照明装置としての庫外蛍光灯２７及び庫内蛍光灯３０・・がそれぞれ取り付けられている。他方、断熱壁２の開口部２１下縁を縁取る前壁２Ｂ上端にはハンドレール２８が全幅に渡って取り付けられている。尚、側板３は所定の幅を有しており、その前面中央部には透視ガラス２９が嵌め込まれている。
【００２６】
また、前記庫外蛍光灯２７より後方のキャノピー２６下面には図３に示す如くナイトカバー４６が取り付けられた保持具４８が取り付けられている（図３では庫外蛍光灯２７は図示せず）。また、保持具４８とキャノピー２６の後端で垂下する後壁２６Ａ間には下方に開放した所定の挿入空間Ｇが構成され、後壁２６Ａには前側に突出したシール構造を構成する突条３１が開口部２１の略全幅に渡って折曲形成されている。
【００２７】
尚、ナイトカバー４６は保持具４８の下面後端から下方に引き出される。また、ナイトカバー４６は内部中空糸の織物から成る基材の一面若しくは両面に水蒸気を透過させ、且つ、低温（少なくとも後述する−２０℃〜＋１６℃の温度）においても当該透過特性が維持されるフィルムをラミネートした素材にて構成されている。また、ナイトカバー４６は保持具４８に取り付けられた図示しないトーションバーの周囲に捲回されて常時巻き取られる方向に付勢されているが、引き出された際には、全閉と全開の途中の位置で図１の如く停止するストッパー機能も備えられている。尚、このストッパー機能は下方に引く所定の操作で解除され、巻き取られるようになる。
【００２８】
また、ナイトカバー４６の横幅は、実施例では開口部２１の幅寸法と略同等か若干狭い寸法とされている。ナイトカバー４６の先端（下縁）には左右に張る硬質樹脂製の縁部材５６が取り付けられており、この縁部材５６の後面下部には検出手段を構成する磁石ＭＧが取り付けられている。また、縁部材５６の中央部には把手５７が形成されている。
【００２９】
他方、３２は開口部２１の両側に位置して側板３、３の内面に上下に渡って設けられたガイドレールである。このガイドレール３２は上端に突設された挿入部３２Ａを図５の如く保持具４８とキャノピー２６の後壁２６Ａ間の挿入空間Ｇ内に下から挿脱自在に挿入すると共に、下端を図６の如く断熱壁２の前壁２Ｂ上端に載置係合することにより、側板３、３前端より内方であって、外気吐出口２５の前端と吸込口２４の前端を結ぶ線よりも前側に位置して本体５に着脱自在に取り付けられるものである。
【００３０】
また、このガイドレール３２は透明硬質樹脂にて成形され、長手方向に延在する溝３２Ｂを有した断面略コ字状を呈しており、コの字の溝３２Ｂの開口を開口部２１方向に向けて左右のガイドレール３２、３２は対向し、更に各ガイドレール３２、３２の溝３２Ｂの上端は開放している。このガイドレール３２、３２の存在によってナイトカバー４６を閉じないときでも、左右端が弱くなるエアーカーテンを保護できる効果がある。
【００３１】
更に、３６は前壁２Ｂの上端後部に取り付けられた検出手段としての近接センサであり、リミットスイッチから構成されている。この近接センサ３６は常には切片を開いており、磁石の接近によって切片を閉じるものである。
【００３２】
次に、図７はオープンショーケース１の電気回路図を示している。図中６７は冷却器１６の霜取ヒータであり、オーバーロードリレー６８及び霜取用マグネットスイッチ７２の接点６９を介して三相交流２００Ｖ電源に接続されている。７０は制御装置を構成するマイクロコンピュータから成るコントローラであり、コントローラ７０は温調接点７４、霜取接点７５、外気用送風機出力８３、冷非切換出力７７、庫内灯出力７８、庫外灯出力７９、警報装置（ランプやブザーから成る）７６及び電源（コントローラ動作電源）を備えており、更に、貯蔵室９への吐出冷気温度を検出する温調センサ８０、冷却器１６の霜取終了温度を検出するための霜取センサ８１、貯蔵室９内の異常高温度を検出するための警報センサ８２及び前記近接センサ３６が接続されている。
【００３３】
そして、前記冷却器１６への液冷媒の供給を制御するために冷媒回路に取り付けられた液電磁弁７１は、コントローラ７０の温調接点７４を介して電源（単相２００Ｖ）に接続されている。また、前記霜取用マグネットスイッチ７２はコントローラ７０の霜取接点７５を介して電源に接続されている。内層送風機Ｆ１、外層送風機Ｆ２及びハンドレール２８部分への結露を防止するための防露ヒータ７３はコントローラ７０の冷非切換出力７７を介して電源に接続される。外気用送風機Ｆ３はコントローラ７０の外気用送風機出力８３を介して電源に接続される。
【００３４】
また、庫外蛍光灯２７はコントローラ７０の庫外灯出力７８を介して電源に接続され、庫内蛍光灯３０（ここでは一つで示す）はコントローラ７０の庫内灯出力７９を介して電源に接続されている。
【００３５】
以上の構成で、オープンショーケース１に電源が投入されると、コントローラ７０は図示しない冷非切換スイッチの操作に基づき、冷凍設定の場合には冷非切換出力７７をＯＮし、内層送風機Ｆ１、外層送風機Ｆ２、防露ヒータ７３に通電して運転若しくは発熱させると共に、外気用送風機Ｆ３を運転可能状態とする。尚、非冷設定の場合にはこれら全ての通電が停止される。
【００３６】
今、冷凍設定とされているものとすると、近接センサ３６がＯＦＦ（切片開）している場合、コントローラ７０は温調センサ８０の出力に基づいて液電磁弁７１を例えば吐出冷気の設定温度−２０℃でＯＦＦ（閉）、ディファレンシャル２ｄｅｇ上の−１８℃でＯＮ（開）する制御を実行する。また、外気用送風機出力８３をＯＮして外気用送風機Ｆ３を運転する。これにより、前述の如く開口部２１には三層のエアーカーテンが形成され、貯蔵室９内は冷凍温度に冷却される。
【００３７】
また、図示しない庫内灯スイッチがＯＮされると、コントローラ７０は庫内灯出力７９をＯＮして庫内蛍光灯３０を点灯させる。更に、図示しない庫外灯スイッチがＯＮされると、コントローラ７０は庫外灯出力７８をＯＮして庫外蛍光灯２７を点灯する。ここで、店舗の開店時は前記庫内灯スイッチ及び庫外灯スイッチはＯＮされ、閉店時にはＯＦＦされる。また、閉店時であっても商品の補充時などには庫外灯スイッチがＯＮされる。
【００３８】
更に、コントローラ７０は所定の時刻に、或いは、図示しない霜取スイッチの操作に基づき、霜取接点７５をＯＮして霜取用マグネットスイッチ７２に通電し、接点６９を閉じて霜取ヒータ６７に通電する。これによって、冷却器１６の霜取を行う。尚、この霜取は霜取センサ８１が冷却器１６の所定の霜取終了温度を検出した時点で終了され、接点７５はＯＦＦされる。また、貯蔵室９内が異常高温となった場合、コントローラ７０は警報センサ８２の出力に基づいてそれを検知して警報装置７６を動作させる。
【００３９】
次に、ナイトカバー４６の操作について説明する。店舗の開店中はナイトカバー４６は図３の如く保持具４８に巻き取られている。また、前記庫内灯スイッチ及び庫外灯スイッチもＯＮされ、前述の如く庫内蛍光灯３０及び庫外蛍光灯２７は点灯される。更に、このとき前記ガイドレール３２は取り外しておくものとする。尚、取り付けたままでもよい。
【００４０】
次に、閉店する際には前述の如くガイドレール３２を開口部２１の両側に取り付ける。そして、ナイトカバー４６を保持具４８から引き出して降ろし、把手５７を前壁２Ｂ上端部の図示しないフックに引っかけて、前記三層のエアーカーテンの外側で開口部２１を覆う。また、庫外灯スイッチ及び庫内灯スイッチもＯＦＦして庫外蛍光灯２７及び庫内蛍光灯３０も消灯させる。
【００４１】
このとき、ナイトカバー４６の両側部はガイドレール３２の溝３２Ｂ内に上端から入り、上下に渡ってその内部に保持されるかたちとなる（図５、図６）。また、突条３１は引き出されたナイトカバー４６の内面に図５に示す如く左右に渡って当接する。これによって、開口部２１の両側部と上縁部におけるナイトカバー４６と本体５間の隙間はなくなるので、冷気漏洩や外気の侵入は防止若しくは極めて少なくなる。
【００４２】
また、磁石ＭＧが近接センサ３６に近接するため、切片はＯＮ（閉）する。コントローラ７０は近接センサ３６の切片のＯＮに基づき、ナイトカバー４６により開口部２１が覆われたものと判断して、コントローラ７０は前記吐出冷気の設定温度を２ｄｅｇ上げ、−１８℃とする。そして、温調センサ８０の出力に基づき、液電磁弁７１を−１８℃でＯＦＦ（閉）、ディファレンシャル２ｄｅｇ上の−１６℃でＯＮ（開）する制御を実行する。これをナイトセットバック制御と云う。更に、外気用送風機出力８３をＯＦＦして外気用送風機Ｆ３を停止させる。
【００４３】
ここで、ナイトカバー４６が閉じられた場合には、開口部２１からの冷気漏洩や外気侵入も殆ど無くなり、或いは、著しく少なくなる。また、庫内蛍光灯３０も消灯されるので、吐出冷気の設定温度を上げても貯蔵室９内は支障無く冷凍温度に維持できる。一方で、設定温度を上げることにより、著しい省エネルギーとなる。また、外気によるエアーカーテンの必要もなくなる（却って悪影響となる）ので、外気用送風機Ｆ３を停止し、その分のエネルギーも削減する。
【００４４】
尚、内層送風機Ｆ１及び外層送風機Ｆ２の回転数制御が可能とされている場合、コントローラ７０は前述の如く近接センサ３６の切片ＯＦＦに基づいてナイトカバー４６が閉じられたと判断した場合、各送風機Ｆ１、Ｆ２を低速回転としてもよい。ナイトカバー４６が閉じられた場合にはエアーカーテンの必要性は小さくなる。そこで、送風機Ｆ１、Ｆ２の回転数を低下させて省エネを図るものである。
【００４５】
ここで、閉店中にナイトカバー４６が完全に閉じられておらず、所謂半開き状態であった場合、近接センサ３６には磁石ＭＧが近接しないので近接センサ３６の切片はＯＦＦ（開）している。コントローラ７０は庫内灯スイッチ及び庫外灯スイッチがＯＦＦされており（閉店中であること。即ち、ナイトカバー４６の全開時を除外する）、且つ、近接センサ３６がＯＦＦしているときは、開店中の全開ではなく、閉店中にナイトカバー４６が開放（半開きを含む）されているものと判断して警報装置７６を動作させる。これによって、使用者にナイトカバー４６の開放を迅速に報知することができる。
【００４６】
一方、閉店中（開店前など）に貯蔵室９内下部に商品を補充する際には、ナイトカバー４６を図１の如く（或いはもう少し上）開口部２１の途中まで下げて停止させ、庫外灯スイッチをＯＮして前述の如く庫外蛍光灯２７のみを点灯させ、商品補充を行う。これにより、補充作業中の冷気漏洩と外気侵入を最小限に抑えられる。この際、近接センサ３６から磁石ＭＧは上方に離間するので、切片はＯＦＦ（開）するが、コントローラ７０は庫外灯スイッチがＯＮしているときには商品補充作業中であるものと判断して前述の警報装置７９を動作させない。
【００４７】
尚、実施例ではナイトカバー４６の半開き状態を庫外灯スイッチ及び庫内灯スイッチと近接センサ３６によって全開状態と区別して判断したが、図３に破線で示すように保持具４８にも近接センサ３６Ａを取り付け、縁部材５６の前面上部にも磁石ＭＧを取り付ければ、近接センサ３６Ａの切片のＯＮによってコントローラ７０はナイトカバー４６の全開を判別できる。即ち、係る構成によれば両近接センサ３６、３６ＡがＯＦＦしているときに警報装置７６を動作させればよいことになる。
【００４８】
また、前述の如くナイトカバー４６が開口部２１を覆った状態では外気用送風機Ｆ３による開口部２１への送風は却って貯蔵室９内に外気を送り込む結果となるため停止させる必要がある。そこで、このような外気用送風機Ｆ３を停止させる点のみに着目した他の回路構成を図８〜１２に示す。尚、各図において図７と同一符号は同一若しくは同様の機能を奏するものとする。
【００４９】
図８の例では外気用送風機Ｆ３は庫外蛍光灯２７と並列にコントローラ７０の庫外灯出力７８に接続されている。係る構成によれば、閉店時に消灯される庫外蛍光灯２７の消灯に連動して外気用送風機Ｆ３を停止させることができる。但しこの場合、前述の如き商品補充時には庫外蛍光灯２７と共に外気用送風機Ｆ３は運転されることになるが、作業中はナイトカバー４６も開放されているので支障はない。
【００５０】
図９の例では外気用送風機Ｆ３は近接センサ３６と直列に接続されたリレー８６の常閉接点８７と直列回路を構成し、この直列回路が内層送風機Ｆ１などと並列に接続されている。係る構成によれば、ナイトカバー４６を閉じた際に外気用送風機Ｆ３のみを停止させることができるようになる。
【００５１】
図１０は庫内蛍光灯３０を有しないオープンショーケースの場合の例である。この場合にはコントローラ７０の庫内灯出力７９を利用して外気用送風機Ｆ３を接続し、閉店時の庫内灯スイッチのＯＦＦ操作によって停止させることができるよう構成されている。
【００５２】
図１１はやはり庫内蛍光灯３０を有しないオープンショーケースの場合の例であり、コントローラ７０の庫内灯出力７９を利用して前述のリレー８６の常閉接点８７と直列に外気用送風機Ｆ３を接続し、閉店時の庫内灯スイッチのＯＦＦ操作とナイトカバー４６の閉とによって停止させることができるよう構成されている。
【００５３】
図１２はやはり庫内蛍光灯３０を有しないオープンショーケースの場合の例で、且つ、開口部２１上部の近接センサ３６Ａのみが設けられている場合の例であり、コントローラ７０の庫内灯出力７９に外気用送風機Ｆ３を接続する。そして、コントローラ７０はナイトカバー４６が引き出されたことに伴う近接センサ３６ＡのＯＦＦに応じて庫内灯出力７９をＯＦＦし、外気用送風機Ｆ３を停止させるものである。
【００５４】
このように、本体５の開口部２１を被うナイトカバー４６を備えたオープンショーケース１において、開口部２１の側部に設けられ、引き出されたナイトカバー４６の側部を保持するガイドレール３２を備えるので、ナイトカバー４６を引き出した際に開口部２１側部における本体５とナイトカバー４６間に生じる隙間を解消することができるようになる。これにより、ナイトカバー４６を閉じた状態における開口部２１からの冷気漏洩及び外気侵入を効果的に防止若しくは抑制することができるようになる。
【００５５】
また、オープンショーケース１の開口部２１に形成されるエアーカーテンが最も弱くなる開口部２１の側部にガイドレール３２が位置するかたちとなるため、ナイトカバー４６を引き出さない状態でも、ガイドレール３２を設けておけば当該ガイドレール３２自体が冷気漏洩と外気侵入の阻止効果を奏することになる。これらにより、オープンショーケース１の冷却性能と省エネルギーの更なる改善を図ることができるようになると共に、特に、実施例のように内部を冷凍温度に冷却するオープンショーケースの場合に顕著な効果を奏する。
【００５６】
また、ガイドレール３２は開口部２１の両側に設けられ、引き出されたナイトカバー４６の両側を保持するので、ナイトカバー４６を引き出した際に開口部２１両側における本体５とナイトカバー４６間に生じる隙間を解消することができるようになり、冷気漏洩及び外気侵入の防止効果を一層向上させることができるようになる。
【００５７】
更に、ガイドレール３２は透明素材にて構成されているので、開店中ガイドレール３２を取り付けたままの状態で使用しても、本体５の開口部２１においてガイドレール３２が目立たなくなり、オープンショーケース１の外観に与える悪影響も最小限に抑えられる。
【００５８】
また、ガイドレール３２は本体５に着脱可能に取り付けられるので、開店時などガイドレール３２が不要な場合には取り外しておくことができるようになり、商品の納出の邪魔になることを未然に防止することができるようになる。
【００５９】
また、開口部２１の上部に位置し、引き出されたナイトカバー４６の内側に左右に渡って当接する突条３１を備えるので、開口部２１の上部における本体５とナイトカバー４６間の隙間も無くし、冷気漏洩及び外気侵入防止効果を一層向上させることができるようになる。
【００６０】
また、ナイトカバー４６は引き出された位置で停止可能であるので、商品の補充の際などに必要な広さだけ開口部２１を開き、残りはナイトカバー４６で覆っておくことができるようになり、作業中における冷気漏洩と外気侵入を最小限に抑制することが可能となる。特に、ナイトカバー４６の側部がガイドレール３２により保持されるので、開口部２１の途中で停止したナイトカバー４６を安定して保持しておくことができるようになる。
【００６１】
また、ナイトカバー４６は、内部中空糸素材にて構成されているので、ナイトカバー４６の断熱性能が向上し、ナイトカバー４６自体を伝わってくる熱侵入を抑制し、冷却性能と省エネルギー効果の更なる向上が図れるようになる。
【００６２】
そして、ナイトカバー４６は、水蒸気を透過させ、且つ、低温においても当該透過特性が維持される素材にて構成されているので、格別な孔などを穿設すること無く、ナイトカバーへの結露の発生を防止することができる。従って、係る孔からの冷気漏洩と外気侵入を解消して運転効率の更なる向上を図ることができる。
【００６３】
【発明の効果】
以上詳述した如く本発明によれば、本体の開口部を被うナイトカバーを備えたオープンショーケースにおいて、ナイトカバーは横幅が本体の開口部の幅寸法と略同等若しくは若干狭い寸法とされており、前記開口部の両側に設けられ、引き出された前記ナイトカバーの両側部を保持するガイドレールを備えるので、ナイトカバーを引き出した際に開口部側部における本体とナイトカバー間に生じる隙間を解消することができるようになる。これにより、ナイトカバーを閉じた状態における開口部からの冷気漏洩及び外気侵入を効果的に防止若しくは抑制することができるようになる。
【００６４】
また、オープンショーケースの開口部に通常形成されるエアーカーテンが最も弱くなる開口部の側部にガイドレールが位置するかたちとなるため、ナイトカバーを引き出さない状態でも、ガイドレールを設けておけば当該ガイドレール自体が冷気漏洩と外気侵入の阻止効果を奏することになる。
【００６５】
これらにより、オープンショーケースの冷却性能と省エネルギーの更なる改善を図ることができるようになると共に、特に、内部を冷凍温度に冷却するオープンショーケースの場合に顕著な効果を奏するものである。
【００６６】
更に、ナイトカバーは、基材の一面若しくは両面に水蒸気を透過させ、且つ、低温においても当該透過特性が維持されるフィルムをラミネートした素材にて構成されているので、格別な孔などを穿設すること無く、ナイトカバーへの結露の発生を防止することができる。従って、係る孔からの冷気漏洩と外気侵入を解消して運転効率の更なる向上を図ることができる。
【００６７】
特に、ナイトカバーの先端に磁石を設け、ナイトカバーが前記開口部を閉じたときに磁石が接近する位置の本体には近接センサを設けたので、磁石が近接センサに接近したことで、ナイトカバーにより前記開口部が閉じられたことを検出し、ナイトカバーが閉じたときに行うべき各種の制御を自動的に実行することができるようになるものである。
【００６８】
また、前記ガイドレールは前記開口部の両側に設けられ、前記引き出されたナイトカバーの両側部を保持するので、ナイトカバーを引き出した際に開口部両側における本体とナイトカバー間に生じる隙間を解消することができるようになり、冷気漏洩及び外気侵入の防止効果を一層向上させることができるようになるものである。
【００６９】
また、前記ガイドレールは透明素材にて構成されているので、本体の開口部においてガイドレールが目立たなくなり、オープンショーケースの外観に与える悪影響も最小限に抑えられるものである。
【００７０】
また、前記ガイドレールは前記本体に着脱可能に取り付けられるので、開店時などガイドレールが不要な場合には取り外しておくことができるようになり、商品の納出の邪魔になることを未然に防止することができるようになるものである。
【００７１】
また、前記開口部の上部に位置し、前記引き出されたナイトカバーの内側に左右に渡って当接する突条を備えるので、開口部の上部における本体とナイトカバー間の隙間も無くし、冷気漏洩及び外気侵入防止効果を一層向上させることができるようになるものである。
【００７２】
特に、前記ナイトカバーは引き出された位置で停止するストッパー機能を有しているので、商品の補充の際などに必要な広さだけ開口部を開き、残りはナイトカバーで覆っておくことができるようになり、作業中における冷気漏洩と外気侵入を最小限に抑制することが可能となる。特に、本発明ではナイトカバーの両側部がガイドレールにより保持されるので、開口部の途中で停止したナイトカバーを安定して保持しておくことができるようになるものである。
【００７３】
更に、前記ナイトカバーは、内部中空糸素材の織物から成る基材の一面若しくは両面に前述のような水蒸気を透過させ、且つ、低温においても当該透過特性が維持されるフィルムをラミネートして構成されているので、ナイトカバーの断熱性能が向上し、ナイトカバー自体を伝わってくる熱侵入を抑制し、冷却性能と省エネルギー効果の更なる向上が図れるようになるものである。
【図面の簡単な説明】
【図１】  本発明の実施例としてのオープンショーケースの正面図である。
【図２】  図１のオープンショーケースの縦断側面図である。
【図３】  図２のオープンショーケースの開口部上端の縦断側面図である。
【図４】  図２のオープンショーケースの開口部下端の縦断側面図である。
【図５】  ナイトカバーを引き出した状態の本発明のオープンショーケースの開口部上端の縦断側面図である。
【図６】  ナイトカバーを引き出した状態のオープンショーケースの開口部下端の縦断側面図である。
【図７】  本発明のオープンショーケースの電気回路図である。
【図８】  本発明のオープンショーケースの電気回路の他の実施例を示す図である。
【図９】  本発明のオープンショーケースの電気回路のもう一つの他の実施例を示す図である。
【図１０】  本発明のオープンショーケースの電気回路の更にもう一つの他の実施例を示す図である。
【図１１】  本発明のオープンショーケースの電気回路の更にもう一つの他の実施例を示す図である。
【図１２】  本発明のオープンショーケースの電気回路の更にもう一つの他の実施例を示す図である。
【符号の説明】
１  オープンショーケース
２  断熱壁
３  側板
２１  開口部
２６  キャノピー
３１  突条
３２  ガイドレール
３６  近接センサ
４６  ナイトカバー
４８  保持具
５６  縁部材
Ｆ１  内層送風機
Ｆ２  外層送風機
Ｆ３  外気用送風機
ＭＧ  磁石
【図１】
0004346250.tif 000002
【図２】
0004346250.tif 000003
【図３】
0004346250.tif 000004
【図４】
0004346250.tif 000005
【図５】
0004346250.tif 000006
【図６】
0004346250.tif 000007
【図７】
0004346250.tif 000008
【図８】
0004346250.tif 000009
【図９】
0004346250.tif 000010
【図１０】
0004346250.tif 000011
【図１１】
0004346250.tif 000012
【図１２】
0004346250.tif 000013